(57)【要約】【課題】本発明は、対向して配置される２つの接触部材を有し、且つ該２つの接触部材がソケットの作用によって、互いに相対的に移動して、ソケットと電気接続する、２つの接触面を有するコネクタを提供することを目的とする。【解決手段】本発明に係る２つの接触面を有するコネクタは、金属ケースと、ハウジングと、接触アセンブリと、を備える。接触アセンブリは、相手方に対して移動可能に設置される２つの接触部材と、接触部材と電気接続される固定部材と、を備える。接触部材には、ソケットと電気接続する接触端子が設けられ、固定部材の表面には、接触端子に電気接続される連接端子が設けられている。一方の接触部材が、ソケットから離れる方向へ移動すると同時に、他方の接触部材が、ソケットに近接するように移動して、ソケットと電気接続されて、データが外部の電子装置に伝送される。【選択図】図２
2013084589.tif 000002
【特許請求の範囲】
【請求項１】
金属ケースと、ハウジングと、前記金属ケース及びハウジング内に設置される接触アセンブリと、を備え、且つ前記金属ケースを介して、外部のソケットと電気接続される２つの接触面を有するコネクタにおいて、
前記接触アセンブリは、互いに対向し、且つ相手方に対して移動可能である２つの接触部材と、前記ハウジング内に固定され、且つ前記２つの接触部材の内の一方と電気接続される固定部材と、を備え、
前記２つの接触部材の内の一方の一端は、一対の弾性部材を介して、他方の一端に連接され、前記２つの接触部材の互いに対向する面には、前記ソケットと電気接続する接触端子がそれぞれ設けられており、
前記接触端子双方が互いに接触され、前記固定部材の表面には、前記一方の接触端子の一端にそれぞれ電気接続する一組の連接端子が設けられ、前記固定部材の背面には、前記他方の接触端子の一端にそれぞれ電気接続する一組の連接端子が設けられており、前記表面の連接端子の一端と前記背面の連接端子の一端とは、交差して連結され、前記固定部材の表面及び背面における連接端子は、外部の電子装置に接続されることに用いられ、
前記コネクタが前記ソケットに挿入されると、前記２つの接触部材の内の一方が、前記ソケットの推進によって、前記ソケットから離れる方向へ移動し、同時に、前記弾性部材を介して、他方の接触部材は、前記ソケットに近接するように推進されて、前記ソケットと電気接続し、前記一方の接触部材の接触端子は、前記固定部材の連接端子と電気接続され、且つ前記他方の接続部材の連接端子は、前記ソケットと電気接続されることによって、前記ソケットからのデータは前記固定部材の連接端子に伝送され、前記固定部材の連接端子が前記外部の電子装置に接続されていることによって、該データは、前記外部の電子装置に伝送されることを特徴とする２つの接触面を有するコネクタ。
【請求項２】
各々の前記弾性部材は、第一端及び第二端を備え、前記第一端が前記一方の接触部材の一端に連結され、且つ前記第二端が前記他方の接触部材の一端に連結されることによって、前記２つの接触部材は互いに相対的に移動可能に連結されることを特徴とする請求項１に記載の２つの接触面を有するコネクタ。
【請求項３】
前記固定部材は、前記表面の連接端子又は前記背面の連接端子に電気接続されるリードを備え、前記リードは、前記外部の電子装置に電気接続されることを特徴とする請求項１または２に記載の２つの接触面を有するコネクタ。
【発明の詳細な説明】
【技術分野】
【０００１】
本発明は、コネクタに関し、特に２つの接触面を有するコネクタに関するものである。
【背景技術】
【０００２】
使用者がコンピュータなどの電子装置とデータ交換を行う場合、データのやり取りは、複数のポート（例えば、ＵＳＢポート）を介して行われる。しかし、従来のポートは上面及び下面を有する（上面と下面との一方のみに接触面が設けられる）ので、プラグにおける端子が設けられる面とポートにおける端子が設けられる面とが一致しなければ（即ち、プラグの接触面とポートの接触面とが対向しなければ）、使用者は、前記プラグの表裏の向きを変更して挿入しなければならず、その使用は複雑で、且つ不便である。
【発明の概要】
【発明が解決しようとする課題】
【０００３】
以上の問題点に鑑みて、対向して配置される２つの接触部材を有し、該２つの接触部材がソケットの作用によって、互いに相対的に移動して、ソケットと電気接続する、２つの接触面を有するコネクタを提供することを目的とする。
【課題を解決するための手段】
【０００４】
前記課題を解決するために、本発明に係る２つの接触面を有するコネクタは、金属ケースと、ハウジングと、前記金属ケース及びハウジング内に設置される接触アセンブリと、を備え、且つ前記金属ケースを介して、外部のソケットと電気接続される２つの接触面を有するコネクタにおいて、前記接触アセンブリは、互いに対向し、且つ相手方に対して移動可能である２つの接触部材と、前記ハウジング内に固定され、且つ前記２つの接触部材の内の一方と電気接続される固定部材と、を備え、前記２つの接触部材の内の一方の一端は、一対の弾性部材を介して、他方の一端に連接され、前記２つの接触部材の互いに対向する面には、前記ソケットと電気接続する接触端子がそれぞれ設けられており、前記接触端子双方が互いに接触され、前記固定部材の表面には、前記一方の接触端子の一端にそれぞれ電気接続する一組の連接端子が設けられ、前記固定部材の背面には、前記他方の接触端子の一端にそれぞれ電気接続する一組の連接端子が設けられており、前記表面の連接端子の一端と前記背面の連接端子の一端とは、交差して連結され、前記固定部材の表面及び背面における連接端子は、外部の電子装置に接続されることに用いられ、前記コネクタが前記ソケットに挿入されると、前記２つの接触部材の内の一方が、前記ソケットの推進によって、前記ソケットから離れる方向へ移動し、同時に、前記弾性部材を介して、他方の接触部材は、前記ソケットに近接するように推進されて、前記ソケットと電気接続し、前記一方の接触部材の接触端子は、前記固定部材の連接端子と電気接続され、且つ前記他方の接続部材の連接端子は、前記ソケットと電気接続されることによって、前記ソケットからのデータは前記固定部材の連接端子に伝送され、前記固定部材の連接端子が外部の電子装置に接続されていることによって、そのデータは前記外部の電子装置に伝送される。
【発明の効果】
【０００５】
本発明に係る２つの接触面を有するコネクタは、２つの接触部材が対向して設けられ、一方の接触部材がソケットの推進によって、該ソケットから離れる方向へ移動すると同時に、他方の接触部材が、前記ソケットに近接するように移動して、前記ソケットと電気接続されるので、前記コネクタをどのような向きでソケットに挿入しても、前記コネクタと前記ソケットとの電気接続を確保することができる。従って、本発明に係る２つの接触面を有するコネクタは、使用に便利である。
【図面の簡単な説明】
【０００６】
【図１】本発明に係る２つの接触面を有するコネクタの斜視図である。
【図２】本発明に係る２つの接触面を有するコネクタの金属ケースと、ハウジングと、接触アセンブリと、の分解図である。
【図３】本発明に係る２つの接触面を有するコネクタの部分分解図である。
【図４】図３に示した２つの接触面を有するコネクタを別の視点から見た部分分解図である。
【図５】本発明に係る２つの接触面を有するコネクタにおける第一連接端子及び第二連接端子を示す図である。
【図６】本発明に係る２つの接触面を有するコネクタを外部の電子装置に接続させた際の図である。
【図７】本発明に係る２つの接触面を有するコネクタをソケットに挿入した際の状態を示す断面図である。
【図８】本発明に係る２つの接触面を有するコネクタをソケットに挿入した際の他の状態を示す断面図である。
【発明を実施するための形態】
【０００７】
以下、図面に基づいて、本発明に係る２つの接触面を有するコネクタについて詳細に説明する。
【０００８】
図１乃至図４を参照すると、本発明に係る２つの接触面を有するコネクタ１は、金属ケース１０と、ハウジング２０と、前記金属ケース１０及びハウジング２０内に設置される接触アセンブリ３０と、を備える。前記コネクタ１は、前記金属ケース１０を介して、外部のソケット２（図７及び図８を参照）と電気接続される。
【０００９】
前記接触アセンブリ３０は、第一接触部材３１と、該第一接触部材３１に対向し、且つ前記第一接触部材３１に対して移動可能に設置された第二接触部材３２と、前記ハウジング２０内に固定され、且つ前記第一接触部材３１又は前記第二接触部材３２と電気接続される固定部材３４と、を備える。前記第一接触部材３１の一端は、一対の弾性部材３３を介して、前記第二接触部材３２の一端と連接されている。また、前記第一接触部材３１及び前記第二接触部材３２の内の互いに対向する面には、前記ソケット２の接続端子２１（図７及び図８を参照）と電気接続する複数の第一接触端子３１１及び複数の第二接触端子３２１がそれぞれ設けられており、該複数の第一接触端子３１１及び複数の第二接触端子３２１は、それぞれ互いに接触している。前記固定部材３４の上表面（図３）には、前記複数の第一接触端子３１１の一端にそれぞれ電気接続される一組の第一連接端子３５が設けられ、前記固定部材３４の上表面の背面である下表面には、前記複数の第二接触端子３２１の一端にそれぞれ電気接続される一組の第二連接端子３６が設けられている。前記第一連接端子３５の一端及び前記第二連接端子３６の一端は、交差して連結されている。前記第一連接端子３５及び前記第二連接端子３６は、外部の電子装置３に接続される（図６）。
【００１０】
前記コネクタ１が、前記金属ケース１０を介して、前記ソケット２に挿入される際、前記第一接触部材３１及び前記第二接触部材３２の内の一方の接触部材（例えば、第一接触部材３１）が、前記ソケット２の推進によって、前記ソケット２から離れる方向へ移動すると同時に、前記第一接触部材３１は、前記弾性部材３３を介して、他方の接触部材（例えば、第二接触部材３２）を前記ソケット２に近接するように推進して、前記第二接触部材３２の第二接触端子３２１と前記ソケット２の接続端子２１との電気接続を達成する。前記第一接触部材３１の第一接触端子３１１が、前記第二接触部材３２の第二接触端子３２１及び前記固定部材３４の第一連接端子３５とそれぞれ接触するので、前記ソケット２からのデータは、前記第一連接端子３５に伝送される。また、この際、前記第一連接端子３５は、前記外部の電子装置３に接続されているので、該データは前記外部の電子装置３に伝送される。
【００１１】
以下、本発明をより明確に理解するために、各々の部材の具体的な構造及び協働関係に関して詳細に説明する。
【００１２】
各々の前記弾性部材３３は、第一端３３１及び第二端３３２を備える。前記第一端３３１は、前記第一接触部材３１の一端に連結され、前記第二端３３２は、前記第二接触部材３２の一端に連結されている。従って、前記第一接触部材３１及び前記第二接触部材３２は、前記一対の弾性部材３３によって、相対的に移動可能（つまり、一方が前進する際、他方は後退する）に連結されている。前記ソケット２の推進によって、前記第一接触部材３１及び前記第二接触部材３２の内の一方の接触部材が、前記弾性部材を連動し、該連動によって、他方の接触部材は前記ソケット２に近接する方向へ移動する。
【００１３】
前記固定部材３４は、さらに、前記第一連接端子３５又は前記第二連接端子３６と電気接続されるリード３０１を備える。前記リード３０１は、前記外部の電子装置３に電気接続されている。図５及び図６に示したように、前記第一連接端子３５は、端子ａ、端子ｂ、端子ｃ及び端子ｄを含み、該４つの端子は、ａ、ｂ、ｃ、ｄの順に配列され、前記第二連接端子３６は、端子ａ’、端子ｂ’、端子ｃ’及び端子ｄ’を含み、該４つの端子は、ｄ’、ｃ’、ｂ’、ａ’の順に配列されている。前記第一連接端子３５と前記第二連接端子３６とは交差して接続されるので、前記端子ａと前記端子ａ’とが接続され、前記端子ｂと前記端子ｂ’とが接続され、前記端子ｃと前記端子ｃ’とが接続され、前記端子ｄと前記端子ｄ’とが接続される。また、前記リード３０１は、接続点ｄ１、ｄ２、ｄ３、ｄ４を含み、該４つの接続点ｄ１、ｄ２、ｄ３、ｄ４は、前記第一連接端子３５の端子ａ、ｂ、ｃ、ｄとそれぞれ接続されるか、又は前記第二連接端子３６の端子ａ’、ｂ’、ｃ’、ｄ’とそれぞれ接続される。また、前記端子ａと前記端子ａ’とが接続され、前記端子ｂと前記端子ｂ’とが接続され、前記端子ｃと前記端子ｃ’とが接続され、前記端子ｄと前記端子ｄ’とが接続されるので、前記リード３０１の４つの接続点ｄ１、ｄ２、ｄ３、ｄ４が、前記第一連接端子３５の端子ａ、ｂ、ｃ、ｄとそれぞれ接続されるか、又は前記第二連接端子３６の端子ａ’、ｂ’、ｃ’、ｄ’とそれぞれ接続されても、前記４つの接続点ｄ１、ｄ２、ｄ３、ｄ４の設置は変わらない。
【００１４】
前記第一接触部材３１が、前記ソケット２の推進によって、前記弾性部材３３を連動させ、且つ該弾性部材３３の連動によって、前記第二接触部材３２が前記ソケット２と電気接続されると、前記固定部材３４の第一連接端子３５と前記第一接触部材３１の第一接触端子３１１とが接触し、前記第一接触部材３１の第一接触端子３１１と前記第二接触部材３２の第二接触端子３２１とが接触するので、前記固定部材３４の第一連接端子３５と前記第二接触部材３２の第二接触端子３２１とが電気接続されて、前記ソケット２からのデータは、前記固定部材３４の第一連接端子３５に伝送される。また、この際、前記固定部材３４の第一連接端子３５は、前記外部の電子装置３に接続されているので、前記データは前記外部の電子装置３に伝送される。これとは逆に、前記第二接触部材３２が前記ソケット２の推進によって前記弾性部材３３を連動させ、該弾性部材３３の連動によって、前記第一接触部材３１が前記ソケット２と電気接続されると、前記固定部材３４の第二連接端子３６と前記第二接触部材３２の第二接触端子３２１とが接触し、前記第一接触部材３１の第一接触端子３１１と前記第二接触部材３２の第二接触端子３２１とが接触するので、前記固定部材３４の第二連接端子３６と前記第一接触部材３１の第一接触端子３１１とは電気接続されて、前記ソケット２からのデータは、前記固定部材３４の第二連接端子３６に伝送される。また、この際、前記固定部材３４の第二連接端子３６は、前記外部の電子装置３に接続されているので、前記データは前記外部の電子装置３に伝送される。本実施形態において、前記コネクタ１は、ＵＳＢコネクタであり、前記第一連接端子３５及び前記第二連接端子３６の数量は、それぞれ４つである。他の実施形態において、前記コネクタ１は、他の型のコネクタであることができ、この際、前記第一連接端子３５及び前記第二連接端子３６の数量は、前記他の型のコネクタの接触端子の数量に対応する。
【００１５】
図７に示したように、前記コネクタ１が、前記金属ケース１０を介して、前記ソケット２に挿入されると、前記第一接触部材３１は、前記ソケット２の推進によって、前記ソケット２から離れる方向へ移動すると同時に、前記第一接触部材３１は、前記弾性部材３３を介して、前記第二接触部材３２を前記ソケット２に近接するように推進して、前記第二接触部材３２の第二接触端子３２１と前記ソケット２の接続端子２１との電気接続が達成される。前記第一接触部材３１の第一接触端子３１１が前記第二接触部材３２の第二接触端子３２１及び前記固定部材３４の第一連接端子３５とそれぞれ接触するので、前記ソケット２からのデータは、前記第一連接端子３５に伝送され、また、該データは、前記第一連接端子３５及び前記リード３０１を介して、前記外部の電子装置３に伝送される。
【００１６】
図８に示したように、前記コネクタ１が、前記金属ケース１０を介して、前記ソケット２に挿入されると、前記第二接触部材３２は、前記ソケット２の推進によって、前記ソケット２から離れる方向へ移動する。この際、前記第二接触部材３２は、前記弾性部材３３を介して、前記第一接触部材３１を前記ソケット２に近接するように推進して、前記第一接触部材３１の第一接触端子３１１と前記ソケット２の接続端子２１との電気接続が達成される。前記第二接触部材３２の第二接触端子３２１が前記第一接触部材３１の第一接触端子３１１及び前記固定部材３４の第二連接端子３６とそれぞれ接触するので、前記ソケット２からのデータは、前記第二連接端子３６に伝送され、また、該データは、前記第二連接端子３６及び前記リード３０１を介して、前記外部の電子装置３に伝送される。
【００１７】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００１８】
１  コネクタ
２  ソケット
３  電子装置
１０  金属ケース
２０  ハウジング
３０  接触アセンブリ
３１  第一接触部材
３１１  第一接触端子
３２  第二接触部材
３２１  第二接触端子
３３  弾性部材
３３１  第一端
３３２  第二端
３４  固定部材
３５  第一連接端子
３６  第二連接端子
２１  接続端子
３０１  リード
【図１】
2013084589.tif 000003
【図２】
2013084589.tif 000004
【図３】
2013084589.tif 000005
【図４】
2013084589.tif 000006
【図５】
2013084589.tif 000007
【図６】
2013084589.tif 000008
【図７】
2013084589.tif 000009
【図８】
2013084589.tif 000010